(57)【要約】【課題】  現在の場所を考慮しながら、受信した番組を出力する。【解決手段】  放送受信部１２は、放送用アンテナ１０を介して、放送されている電波を受信する。映像出力部１４は、番組に含まれた映像を表示部１６に表示させる。音声出力部１８は、番組に含まれた音声をスピーカ２０に出力させる。記憶部３０は、番組に対応したチャンネル、番組の視聴すべき位置を記憶する。ＧＰＳ用受信部２４は、無線装置１００の現在の位置を取得する。制御部３２は、記憶部３０を参照しつつ、取得した位置の座標が記憶部３０に記憶された位置に該当すれば、映像出力部１４と音声出力部１８に対して、放送受信部１２において受信した番組を出力させる。【選択図】  図１
2006173773.tif 000002
【特許請求の範囲】
【請求項１】
放送されている番組を受信する受信部と、
放送されている番組を視聴すべき位置であって、予め規定された位置を記憶する記憶部と、
現在の位置の情報を取得する取得部と、
前記取得部において取得した位置の情報が、前記記憶部に記憶された位置に該当すれば、前記受信部において受信した番組を出力させる制御部と、
を備えることを特徴とする受信装置。
【請求項２】
前記記憶部において、放送されている番組を視聴すべき位置は、エリアを形成するように記憶されており、
前記制御部では、前記取得部において取得した位置の情報が、前記記憶部に記憶されたエリアに含まれていれば、前記受信部において受信した番組を出力させることを特徴とする請求項１に記載の受信装置。
【請求項３】
所定の基地局装置と通信する通信部をさらに備え、
前記取得部は、前記通信部において通信する基地局装置の識別番号をもとに、現在の位置の情報を取得することを特徴とする請求項１または２に記載の受信装置。
【請求項４】
前記記憶部は、放送されている番組を試聴すべき時刻であって、かつ予め規定された記憶も記憶しており、
前記取得部は、現在の時刻の情報も取得し、
前記制御部では、前記取得部において取得した時刻の情報が、前記記憶部に記憶された時刻に該当すれば、前記受信部において受信した番組を出力させることを特徴とする請求項１から３のいずれかに記載の受信装置。
【請求項５】
前記記憶部において記憶する情報を入力する入力部をさらに備えることを特徴とする請求項１から４のいずれかに記載の受信装置。
【請求項６】
放送されている番組を視聴すべき位置を予め規定しつつ、現在の位置の情報を取得し、取得した位置の情報が、予め規定した位置に該当すれば、放送されている番組を受信してから出力することを特徴とする受信方法。
【発明の詳細な説明】
【技術分野】
【０００１】
本発明は、受信技術に関し、特に放送されている信号を受信する受信方法および装置に関する。
【背景技術】
【０００２】
ビデオテープレコーダなどの記録装置は、一般的にチューナを内蔵しており、チューナを使用することによって、録画予約機能を提供する。このような録画予約機能は、一般的に、録画対象となる放送番組の放送日時とチャンネルとを録画装置に予め設定し、設定した放送日時が到来したときに、設定されたチャンネルを選局しつつ、放送番組を記録する（例えば、特許文献１参照。）。
【特許文献１】特開２００２−１６８４４号公報
【発明の開示】
【発明が解決しようとする課題】
【０００３】
テレビジョン放送の番組（以下、「番組」という）を受信可能な携帯電話（以下、このような携帯電話も単に「携帯電話」という）を使用すれば、ユーザは、いつでもどこでも番組を視聴できる。ビデオテープレコーダにおける録画予約機能に類似した視聴予約機能が、携帯電話に備わっていれば、ユーザは、番組を忘れずに視聴できる。すなわち、視聴予約機能は、視聴対象となる番組の放送日時とチャンネルとを携帯電話に予め設定し、設定した放送日時が到来したときに、設定されたチャンネルを選局しつつ、番組を表示装置等に出力する。
【０００４】
本発明者はこうした状況下、以下の課題を認識するに至った。携帯電話を使用すればさまざまな場所において、番組を視聴できる。しかしながら、静かな場所などの社会的に音声を出力しながら、番組を視聴すべきでない場所もある。そのような場所において、視聴予約機能が動作することによって、番組の出力が開始されれば、周囲に迷惑を与えてしまう。また、そのような動作は、ユーザにとっても意図しないものである。
【０００５】
本発明はこうした状況に鑑みてなされたものであり、その目的は、現在の場所を考慮しながら、受信した番組を出力する受信方法および装置を提供することにある。
【課題を解決するための手段】
【０００６】
上記課題を解決するために、本発明のある態様の受信装置は、放送されている番組を受信する受信部と、放送されている番組を視聴すべき位置であって、予め規定された位置を記憶する記憶部と、現在の位置の情報を取得する取得部と、取得部において取得した位置の情報が、記憶部に記憶された位置に該当すれば、受信部において受信した番組を出力させる制御部と、を備える。
【０００７】
「番組」とは、放送されているプログラムを示すが、ここでは、その内容も含むものとする。すなわち、番組は、放送されている音声、放送されている映像、それらの組合せを示してもよいものとする。
【０００８】
この態様によると、現在の位置と、番組を視聴すべき位置とが該当する場合に、受信した番組を出力するので、番組を視聴すべき位置でない場合での番組の出力を防止でき、現在の場所を考慮しながら番組を出力できる。
【０００９】
記憶部において、放送されている番組を視聴すべき位置は、エリアを形成するように記憶されており、制御部では、取得部において取得した位置の情報が、記憶部に記憶されたエリアに含まれていれば、受信部において受信した番組を出力してもよい。この場合、番組を視聴すべき位置がエリアとして形成されているので、受信装置を所有したユーザの移動や、位置に含まれた誤差を考慮しつつ、番組を視聴すべき位置を規定できる。
【００１０】
所定の基地局装置と通信する通信部をさらに備えてもよい。取得部は、通信部において通信する基地局装置の識別番号をもとに、現在の位置の情報を取得してもよい。この場合、基地局装置の識別番号をもとに、現在の位置の情報を取得するので、既に備えられている機能を使用でき、回路規模の増加を抑制できる。
【００１１】
記憶部は、放送されている番組を試聴すべき時刻であって、かつ予め規定された記憶も記憶しており、取得部は、現在の時刻の情報も取得し、制御部では、取得部において取得した時刻の情報が、記憶部に記憶された時刻に該当すれば、受信部において受信した番組を出力してもよい。この場合、位置に加えて時刻によっても番組の視聴を規定するので、設定を詳細にできる。
【００１２】
記憶部において記憶する情報を入力する入力部をさらに備えてもよい。この場合、ユーザの希望に応じた条件を設定できる。
【００１３】
本発明の別の態様は、受信方法である。この方法は、放送されている番組を視聴すべき位置を予め規定しつつ、現在の位置の情報を取得し、取得した位置の情報が、予め規定した位置に該当すれば、放送されている番組を受信してから出力する。
【００１４】
本発明のさらに別の態様もまた、受信方法である。この方法は、放送されている番組を受信するステップと、現在の位置の情報を取得するステップと、放送されている番組を視聴すべき位置であって、予め規定された位置を参照しながら、取得した位置の情報が、規定された位置に該当すれば、受信した番組を出力させるステップと、を備える
【００１５】
制御するステップにおいて、放送されている番組を視聴すべき位置は、エリアを形成するように規定されており、取得した位置の情報が、規定されたエリアに含まれていれば、受信した番組を出力させてもよい。所定の基地局装置と通信するステップをさらに備え、取得するステップは、通信している基地局装置の識別番号をもとに、現在の位置の情報を取得してもよい。取得するステップは、現在の時刻の情報も取得し、制御するステップにおいて、放送されている番組を試聴すべき時刻であって、かつ予め規定された記憶も参照しながら、取得した時刻の情報が、規定された時刻に該当すれば、受信した番組を出力させてもよい。制御するステップにおいて参照すべき情報を入力するステップをさらに備えてもよい。
【００１６】
なお、以上の構成要素の任意の組合せ、本発明の表現を方法、装置、システム、記録媒体、コンピュータプログラムなどの間で変換したものもまた、本発明の態様として有効である。
【発明の効果】
【００１７】
本発明によれば、現在の場所を考慮しながら、受信した番組を出力できる。
【発明を実施するための最良の形態】
【００１８】
本発明を具体的に説明する前に、概要を述べる。本発明の実施例は、番組を受信可能な携帯電話（以下、「無線装置」という）に関する。実施例に係る無線装置は、設定に応じて番組を表示装置へ出力するための視聴予約機能を有するが、番組を視聴すべきでない場所での番組の出力を防止するために、以下のような視聴予約機能になっている。実施例に係る無線装置は、ＧＰＳ（Ｇｌｏｂａｌ  Ｐｏｓｉｔｉｏｎｉｎｇ  Ｓｙｓｔｅｍ）の受信機能も有しているので、現在の場所も検出できる。ユーザは、視聴対象となる番組の放送日時とチャンネルに加えて、視聴すべき位置も無線装置に予め設定する。無線装置は、設定した放送日時が到来したときに、設定されたチャンネルを選局し、さらに現在の位置が視聴すべき位置であれば、受信した番組を表示装置に出力する。そのため、ユーザは、番組を視聴すべきでない場所をさけるように視聴すべき位置を登録すれば、番組を視聴すべきでない場所での番組の出力を回避できる。
【００１９】
図１は、本発明の実施例に係る無線装置１００の構成を示す。無線装置１００は、放送用アンテナ１０、放送受信部１２、映像出力部１４、表示部１６、音声出力部１８、スピーカ２０、ＧＰＳ用アンテナ２２、ＧＰＳ用受信部２４、タイマー２６、入力部２８、記憶部３０、制御部３２、通信用アンテナ３４、通信部３６を含む。
【００２０】
放送受信部１２は、放送用アンテナ１０を介して、放送されている電波を受信する。さらに、放送受信部１２は、チューナの機能を備えることによって、受信した電波から、設定されたチャンネルの番組を選択する。放送受信部１２は、アナログテレビジョン放送に対応してもよく、デジタルテレビジョン放送に対応してもよい。また、放送受信部１２でのチャンネルの設定は、視聴予約機能によってなされる他、図示しない操作部を使用しながらユーザによってなされる。操作部は、例えばボタンによって構成される。
【００２１】
映像出力部１４は、番組に含まれた映像を表示部１６に表示させる。映像出力部１４は、放送受信部１２によって受信した番組に含まれたデータから、映像を生成し、生成した映像を出力する。映像出力部１４における映像の生成は、公知の技術によって実現されるので、説明を省略する。また、番組に含まれた映像が、図示しない送信側において符号化されていれば、映像出力部１４は、受信した番組に含まれたデータを復号する。さらに、映像出力部１４は、表示部１６に映像を表示する際の輝度等も制御する。映像出力部１４は、所定の指示にしたがって、表示部１６における映像の表示を中止させることも可能である。
【００２２】
音声出力部１８は、番組に含まれた音声をスピーカ２０に出力させる。音声出力部１８は、放送受信部１２によって受信した番組含まれたデータから、音声を生成し、生成した音声を出力する。音声出力部１８における音声の生成は、公知の技術によって実現されるので、説明を省略する。また、番組に含まれた音声が、図示しない送信側において符号化されていれば、音声出力部１８は、受信した番組に含まれたデータを復号する。さらに、音声出力部１８は、スピーカ２０に音声を出力する際の音量等も制御する。音声出力部１８は、所定の指示にしたがって、スピーカ２０における音声の出力を中止させることも可能である。なお、音声出力部１８は、図示しないイヤホン端子に、音声を出力してもよい。
【００２３】
入力部２８は、図示しない操作部を介して、ユーザから視聴予約機能のための情報を受けつけ、受けつけた情報を記憶部３０に出力する。視聴予約機能については、後述するが、ここでは、視聴予約機能のための情報として、番組に対応したチャンネル、番組の視聴すべき時刻、番組の視聴すべき位置が規定されている。番組に対応したチャンネルは、当該番組を放送する予定となっているチャンネルであり、例えば、「１チャンネル」というように規定されている。
【００２４】
また、番組の視聴すべき時刻は、ユーザが番組の視聴を希望する時刻であり、視聴を開始する時刻と、視聴を終了する時刻を少なくとも含む。これは、例えば、「８時００分」から開始して、「９時００分」までというように規定されている。さらに、「番組の視聴すべき位置」とは、ユーザが番組の視聴を希望する位置であり、エリアを形成するように規定されている。これは、例えば、「東京駅」から「半径２００ｍ」というように規定されている。また、後述するＧＰＳの機能を使用することによって、「現在の位置」から「半径２００ｍ」というように規定されてもよい。
【００２５】
入力部２８は、情報を入力する際のユーザの利便性を向上するために、ユーザによって入力された情報を表示部１６に逐次表示させる。図２は、表示部１６に表示される設定の入力画面を示す。「チャンネル」は、前述の番組に対応したチャンネルに相当し、「日」、「週」、「開始時刻」、「終了時刻」は、前述の番組の視聴すべき時刻に相当する。これらの組合せによって、番組の視聴日時を特定する。「視聴可能スポット」と「視聴可能範囲」は、前述の番組の視聴すべき位置に相当する。「視聴可能スポット」は、エリアの中心部分に相当し、ここでは、ＧＰＳの機能を使用しながら入力されているものとする。また、「視聴可能範囲」は、エリアの大きさを示す。また、番組の視聴すべき位置として、緯度と経度が直接入力されてもよい。
【００２６】
図１に戻る。記憶部３０は、入力部２８において入力された情報を記憶する。すなわち、番組に対応したチャンネル、番組の視聴すべき時刻、番組の視聴すべき位置を記憶しており、視聴予約機能のための情報を記憶しているといえる。図３は、記憶部３０に記憶されたデータの構造を示す。データは、予約Ｎｏ．欄５０、チャンネル欄５２、日欄５４、週欄５６、開始時刻欄５８、終了時刻欄６０、経度欄６２、緯度欄６４によって構成されている。また、チャンネル欄５２から緯度欄６４は、図２に示された情報に対応している。予約Ｎｏ．欄５０は、番組を識別するための番号である。チャンネル欄５２は、前述の番組に対応したチャンネルに相当する。
【００２７】
また、日欄５４、週欄５６、開始時刻欄５８、終了時刻欄６０は、前述の視聴すべき時刻に相当する。以下、これらを「時刻に対する条件」あるいは「予約時刻」という。さらに、経度欄６２、緯度欄６４は、前述の番組の視聴すべき位置に相当する。以下、これらを「位置に対する条件」あるいは「視聴可能エリア」という。ここでは、処理を簡易にするために、「視聴可能スポット」と「視聴可能範囲」によって特定される領域を四角形に変換し、それに含まれる頂点を経度と緯度によって示している。すなわち、経度と緯度によって示される四角形が、前述の視聴可能エリアに相当する。なお、「視聴可能スポット」としてこれに対応した経度と緯度を記憶し、「視聴可能スポット」として半径の値を記憶してもよい。
【００２８】
図１に戻る。ＧＰＳ用受信部２４は、ＧＰＳ用アンテナ２２を介して、図示しない複数のＧＰＳ衛星からの信号を受信し、受信した信号をもとに、測位を実行することによって、無線装置１００の現在の位置を取得する。ここで、ＧＰＳによる測位は、周知の技術であるので、説明を省略する。少なくともＧＰＳ用受信部２４は、現在の位置として、緯度と経度によって示される座標を取得する。
【００２９】
タイマー２６は、所定のクロックにもとづいて計時を実行する。そのため、タイマー２６は、現在の時刻の情報を取得する。さらに、タイマー２６は、カレンダーの機能も有し、時刻だけなく、日、週、月、年等も関する。それによって、現在の日付、月、年等も取得する。
【００３０】
制御部３２は、ＧＰＳ用受信部２４において取得した位置の座標と、タイマー２６において取得した時刻を入力する。さらに、制御部３２は、記憶部３０を参照しつつ、取得した位置の座標が記憶部３０に記憶された位置に該当し、かつ取得した時刻が記憶部３０に記憶された時刻に該当すれば、映像出力部１４と音声出力部１８に対して、放送受信部１２において受信した番組を出力させる。ここで、「取得した位置の座標が記憶部３０に記憶された位置に該当し」とは、取得した位置の座標が、予め規定されたエリアの中に含まれていることに相当する。また、「取得した時刻が記憶部３０に記憶された時刻に該当す」るとは、取得した時刻が、開始時刻と終了時刻の間に含まれることに相当する。
【００３１】
さらに、「放送受信部１２において受信した番組を出力させる」は、映像出力部１４に対して、番組に含まれた映像を表示させ、音声出力部１８に対して、番組に含まれた音声を出力させることに相当する。そのときのチャンネルは、記憶部３０での記憶内容にしたがう。その結果、時刻だけでなく、位置も考慮して、番組が出力される。すなわち、時刻に対する条件と位置に対する条件が満たされていなければ、番組は出力されない。その結果、位置に対して、番組を出力すべきでない場所を設定しなければ、当該場所での出力を回避できる。
【００３２】
制御部３２の動作を具体的に説明する。ここで、表示部１６とスピーカ２０において、番組が出力されておらず、かつ位置に対する条件だけが満たされていない場合を想定する。無線装置１００を所有するユーザが移動することによって、ＧＰＳ用受信部２４において検出される位置が変化する。制御部３２において、現在の位置が、位置に対する条件を満たせば、映像出力部１４が表示部１６に番組の映像を表示させ、音声出力部１８がスピーカ２０に番組の音声を出力させる。一方、表示部１６とスピーカ２０において、番組が出力されており、かつ位置に対する条件と時刻に対する条件が満たされている場合を想定する。無線装置１００を所有するユーザが移動することによって、ＧＰＳ用受信部２４において検出される位置が変化する。制御部３２において、現在の位置が、位置に対する条件を満たさなくなれば、映像出力部１４が表示部１６における番組の映像の表示を中止させ、音声出力部１８がスピーカ２０における番組の音声の出力を中止させる。
【００３３】
通信部３６は、通信用アンテナ３４を介して、図示しない基地局装置と通信する。通信部３６は、通信部３６と基地局装置に対して適用される通信システムに応じた機能を含む。ここで、通信システムは、携帯電話システム、第二世代コードレス電話システム、第三世代携帯電話システムを含む。これらに応じた機能は、公知の技術でよいので、説明を省略する。なお、通信部３６は、通信を実行するときにその旨（以下、「開始通知」という）を制御部３２に出力する。映像出力部１４が表示部１６に番組の映像を表示させ、音声出力部１８がスピーカ２０に番組の音声を出力させているときに、制御部３２は、開始通知を受けつけると、映像出力部１４に番組の映像の表示を中止させ、音声出力部１８に番組の音声の出力を中止させる。すなわち、無線装置１００は、番組の出力よりも、通信を優先する。
【００３４】
この構成は、ハードウエア的には、任意のコンピュータのＣＰＵ、メモリ、その他のＬＳＩで実現でき、ソフトウエア的にはメモリのロードされた予約管理機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３５】
以上の構成による無線装置１００の動作を説明する。図４は、無線装置１００における番組の視聴手順を示すフローチャートである。映像出力部１４と音声出力部１８が、番組を出力していないとき（Ｓ１０のＹ）、制御部３２では、現在の時刻が予約時刻内であり（Ｓ１２のＹ）、かつ現在の位置が視聴可能エリア内であれば（Ｓ１４のＹ）、映像出力部１４と音声出力部１８による番組の出力を開始させる（Ｓ１６）。一方、制御部３２では、現在の時刻が予約時刻内でなく（Ｓ１２のＮ）、あるいは現在の位置が視聴可能エリア内でなければ（Ｓ１４のＮ）、出力を開始しない。
【００３６】
映像出力部１４と音声出力部１８が、番組を出力しているとき（Ｓ１０のＮ）、制御部３２では、現在の時刻が予約時刻内であり（Ｓ１８のＹ）、かつ現在の位置が視聴可能エリア内であれば（Ｓ２０のＹ）、映像出力部１４と音声出力部１８による番組の出力を継続させる。一方、制御部３２では、現在の時刻が予約時刻内でなく（Ｓ１８のＮ）、あるいは現在の位置が視聴可能エリア内でなければ（Ｓ２０のＮ）、映像出力部１４と音声出力部１８による番組の出力を中止する（Ｓ２２）。
【００３７】
以上のように説明した本発明の実施例に係る無線装置１００の変形例が、以下のように示される。ここでは、現在の位置が、ＧＳＰからでなく、通信対象の基地局装置からの信号によって取得される場合を示す。図５は、本発明の変形例に係る無線装置１００の構成を示す。図５の無線装置１００では、図１の１００と比較して、ＧＰＳ用アンテナ２２、ＧＰＳ用受信部２４が除かれる。
【００３８】
通信部３６は、前述のごとく、図示しない基地局装置と通信する。ここでの通信には、基地局装置から報知されている制御信号を受信しているだけの場合も含むものとする。制御部３２は、通信部３６において受信した信号をもとに、現在の位置を取得する。なお、受信した信号には、当該基地局装置の識別番号が含まれているものとする。また、現在の位置の取得の方法は、複数の種類存在する。簡単な方法では、受信した信号に含まれた基地局装置の識別番号をそのまま現在の位置とする。そのとき、記憶部３０においては、番組を視聴すべき位置として、基地局装置の識別番号を記憶する。また、視聴可能エリアは、当該基地局装置によるサービスエリアとなる。そのため、入力部２８において、ユーザは、視聴可能範囲の入力を省略できる。
【００３９】
また、別の方法では、基地局装置の識別番号と当該基地局装置の位置とを対応づけながら予め記憶しておく。基地局装置の位置は、例えば、緯度と経度によって示される。制御部３２は、通信部３６において受信した信号であって、かつ基地局装置からの信号の強度を測定する。さらに、制御部３２は、受信した信号の強度をもとに、基地局装置と無線装置１００との間の伝搬損失を特定し、伝搬損失をもとに、基地局装置と無線装置１００との間の距離を推定する。距離の推定には、例えば、伝搬損失の２乗則等が使用される。制御部３２は、以上の処理を複数の基地局装置からの信号に対して実行する。その結果、複数の基地局装置の位置と、それらからの距離によって、制御部３２は、現在の位置を取得する。
【００４０】
さらに、別の方法では、サイトダイバーシチのように、複数の基地局装置から、同一の信号が送信されている場合を想定する。制御部３２は、通信部３６において受信した信号であって、かつ複数の基地局装置から受信した信号に対して、それらを受信したタイミングを取得する。これらのタイミングの誤差は、所定の基地局装置との距離と、別の基地局装置との距離の差に相当する。複数の基地局装置の位置と、それらの距離の差によって、制御部３２は、現在の位置を取得する。以上のごとく、制御部３２、通信部３６において通信する基地局装置の識別番号をもとに、現在の位置の情報を取得する。
【００４１】
本発明の実施例によれば、現在の位置と、番組を視聴すべき位置とが該当する場合に、番組を出力するので、番組を視聴すべき位置でない場合での番組の出力を防止できる。また、現在の場所が視聴すべき場所であるかを考慮しながら番組を出力できる。また、位置を考慮しながら視聴予約が実行されるので、移動性を有した無線端末にとって適した視聴予約を実現できる。また、番組を視聴すべき位置の設定が、現在ＧＰＳによって取得している位置を使用しながらなされるので、位置の設定を容易にできる。また、位置をＧＰＳによって取得するので、正確な位置を取得できる。また、番組を視聴すべき位置の設定が、緯度と経度によってなされるので、厳密な位置の設定を実現できる。
【００４２】
また、番組を視聴すべき位置がエリアとして形成されているので、受信装置を所有したユーザの移動や、位置に含まれた誤差を考慮しつつ、番組を視聴すべき位置を規定できる。また、現実的な番組を視聴すべき位置を設定できる。また、基地局装置の識別番号をもとに、現在の位置の情報を取得するので、既に備えられている機能を使用でき、回路規模の増加を抑制できる。また、サイトダイバーシチは、第三世代携帯電話システムに備えられている機能であるので、処理量の増加を抑制できる。また、ＧＰＳ衛星からの信号が受信できない場所においても、現在の位置を取得できる。また、位置に加えて時刻によっても番組の視聴を規定するので、設定を詳細にできる。時刻によって番組の視聴を規定するので、希望する番組の視聴予約が可能になる。また、条件は、ユーザによって設定されるので、ユーザの希望に応じた条件を設定できる。
【００４３】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００４４】
本発明の実施例において、放送受信部１２は、テレビジョン放送の番組を受信している。しかしながらこれに限らず例えば、放送受信部１２は、ラジオ放送の番組を受信してもよい。本変形例によれば、無線装置１００は、ラジオ放送を受信する場合にも適用可能になる。つまり、放送されている番組を受信する場合であればよい。
【００４５】
本発明の実施例において、無線装置１００は、放送番組の受信機能と、ＧＰＳの受信機能を有した携帯電話として説明した。しかしながら、これに限らず例えば、ＰＤＡに対して、放送番組の受信モジュール、ＧＰＳの受信モジュール、通信モジュールを組み合わせた形態であってもよい。本変形例によれば、さまざまな形態の装置に本発明を適用できる。つまり、放送番組の受信機能と、ＧＰＳの受信機能、通信機能を有していればよい。
【００４６】
本発明の実施例において、位置に対する条件と、時刻に対する条件が満たされた場合に、制御部３２は番組を出力している。しかしながらこれに限らず例えば、位置に対する条件が満たされた場合に、制御部３２は番組を主力してもよい。本変形例によれば、ユーザが設定すべき項目の数を少なくしながらも、番組を視聴すべきでない場所における番組の出力を防止できる。つまり、番組を視聴すべきでない場所における番組の出力を防止できればよい。
【図面の簡単な説明】
【００４７】
【図１】本発明の実施例に係る無線装置の構成を示す図である。
【図２】図１の表示部に表示される設定の入力画面を示す図である。
【図３】図１の記憶部に記憶されたデータの構造を示す図である。
【図４】図１の無線装置における番組の視聴手順を示すフローチャートである。
【図５】本発明の変形例に係る無線装置の構成を示す図である。
【符号の説明】
【００４８】
１０  放送用アンテナ、  １２  放送受信部、  １４  映像出力部、  １６  表示部、  １８  音声出力部、  ２０  スピーカ、  ２２  ＧＰＳ用アンテナ、  ２４  ＧＰＳ用受信部、  ２６  タイマー、  ２８  入力部、  ３０  記憶部、  ３２  制御部、  ３４  通信用アンテナ、  ３６  通信部、  １００  無線装置。
【図１】
2006173773.tif 000003
【図２】
2006173773.tif 000004
【図３】
2006173773.tif 000005
【図４】
2006173773.tif 000006
【図５】
2006173773.tif 000007